【手続補正書】
【提出日】平成21年3月30日(2009.3.30)
【手続補正１】
【補正対象書類名】明細書
【補正対象項目名】全文
【補正方法】変更
【補正の内容】
【発明の詳細な説明】
【発明の名称】デッキ材の幕板固定装置，これに用いる幕板固定部材及びその底板孔開け用冶具
【技術分野】
【０００１】
本発明は，デッキ材の長手方向先端に対する幕板の取付設置に好適に使用し得るデッキ材の幕板固定装置，これに用いる幕板固定部材及びその底板孔開け用冶具に関する。
【背景技術】
【０００２】
中空長尺のデッキ材を並列配置して構成するデッキには，そのデッキ材長手方向端部及び幅方向端部に幕板を取付設置するものとされ，このとき幕板の取付設置には，例えば断面Ｓ字状の幕板固定部材を用い，該幕板固定部材の上端に配置した固定片をデッキ材先端下面に対接し，デッキ材の底板に透設した透孔から固定片の幅調整用の長孔を介して固定片下面に配置した裏板の幅方向２ヶ所のナットに対してボルトを螺入することによって，デッキ先端と固定片下位に配置した固定受部が面一となるように該デッキ材の先端に幕板固定部材を固定し，その後に幕板固定部材の固定片下端から外側に向けて突出した幕板受座に幕板下端を載置し，該幕板外側から幕板固定部材の固定受部に対してネジを螺入することによって，デッキ材先端に幕板を取付設置するようにしたものとされている。
【０００３】
【非特許文献１】東洋エクステリア株式会社「人工木材  樹の木立」の取付説明書について，平成１６年６月３０日追加発行した「７．正面・コーナー幕板取付材の取付け（補足）」の追加取付説明書。
【発明の開示】
【発明が解決しようとする課題】
【０００４】
この場合，幕板はデッキ材の下面に垂下するように固定した幕板固定部材にネジ固定されるが，どのデッキ材対接位置での固定がなされておらず，長期に亘る耐久性を備えたより強固にして安定した固定のためには幕板のデッキ材位置においても固定することが望ましい。またデッキ材に対する幕板固定部材の固定は，デッキ材先端下面に幕板固定部材の固定片と裏板とを手支えして，デッキ材の底板からボルトを螺装するものとされるために，その作業が煩雑化する傾向があり，この固定作業は，幕板固定部材を固定するデッキ幅方向所定位置のデッキ材に対して予めその固定を行なってから，デッキ材を並列配置してデッキ面を形成し，その後に幕板固定部材に対して幕板をネジで固定する手順によるべきものとされるところ，現実の現場作業ではデッキ材を並列配置してデッキ面を形成してから幕板固定部材をデッキ材に固定して幕板を取付設置する手順によることも多く，この手順によるとき，例えばデッキ形成高さを低く設定したときに，幕板固定部材の下方にその固定作業のためのスペースを充分には確保できずに，その作業が一層煩雑化し，また幕板固定部材を取り付けられないために既に並列配置したデッキ材を外した上，これに幕板固定部材を固定して再度これを並列配置するといった煩雑な作業を必要とすることにもなる。
【０００５】
本発明はかかる事情に鑑みてなされたもので，その解決課題とするところは，第１に，幕板の取付設置を強固且つ安定した状態になし得るようにしたデッキ材の幕板固定装置を提供するにあり，第２にデッキ材先端下面に対接する幕板固定のための部材を用いた際にも，その固定を簡易になし得るようにしてデッキ材への幕板の固定設置を可及的容易且つ確実に作業性よく行なうことができるようにしたデッキ材の幕板固定装置を提供するにあり，第３にデッキ材の幕板固定装置に好適に使用できるようにしたデッキ材の幕板固定部材を提供するにあり，第４に該幕板固定部材を用いるに際して好適に使用できるようにした幕板固定部材の底板孔開け用冶具を提供するにある。
【課題を解決するための手段】
【０００６】
上記第１の課題に沿って本発明は，幕板固定部材をデッキ材先端の中空部内に挿入する上位部材とデッキ材先端下方に垂下する下位部材を一体に備えて構成し，該幕板固定部材をそのデッキ材に設置することによってデッキ材中空部とその下位に垂下する固定受部を配置して幕板の固定をその背面のデッキ材中空部とその下位の上下に複数箇所でなし得るようにしたものであって，即ち請求項１に記載の発明を，上位部材を中空長尺のデッキ材先端の中空部内に挿入し，下位部材を該デッキ材先端の下方に垂下するようにデッキ材の底板を挟んで上下位部材に設置した上下各固定受部をデッキ材先端の中空部及びその下位に位置するようにデッキ材先端に配置した上下位一体の幕板固定部材と，デッキ材先端に突き当て配置して外側から上下各固定受部にネジを螺入することによって該上下各固定受部にネジ固定してデッキ材先端に取付設置した幕板とを備えてなることを特徴とする特徴とするデッキ材の幕板固定装置としたものである。
【０００７】
請求項２に記載の発明は，上記第２の課題に沿って，上記上下位一体の幕板固定部材に代えて，デッキ材先端の中空部内に挿入配置する上位部材と，該デッキ材先端の下方に垂下配置する下位部材とによって上下位に分離構成した幕板固定部材を用いて幕板の固定を上下の複数箇所でなし得るものとするとともに該幕板固定部材の分離構成によって生じる下位部材のデッキ材先端に対する固定を，上位部材からデッキ材の底板を介したネジによってデッキ材の底板を挟んで上位部材に下位部材を一体的に支持して，裏板を使用したりすることなく下位部材を手持ちした状態で上方の上位部材から底板側へ向けたネジ止めの作業によって該下位部材の固定を可能とし，作業スペースが充分に確保し得ないケースでも可及的容易に下位部材の固定をなし得るものとするように，これを，上記上下位一体の幕板固定部材に代えて，上位部材と下位部材とを備えた幕板固定部材を用い，その上位部材の固定受部下方に中空部奥行方向に向けて上向き傾斜したネジ受座を配置し，下位部材の固定受部背面側に上記ネジ受座に合せて傾斜したネジ受部を配置し，ネジ受座及び底板のネジ透孔を介してネジ受座からネジをネジ受部に螺入することによって，該分離構成の上位部材と下位部材とをデッキ材先端にその底板を挟んで一体化して配置してなることを特徴とする請求項１に記載のデッキ材の幕板固定装置としたものである。
【０００８】
請求項３に記載の発明は，上記に加えて，上記分離構成した幕板固定部材を用いたとき，その上位部材が位置決め部を備えることによってデッキ材の中空部の定位置に可及的容易且つ確実に挿入し得るものとするように，これを，上記上位部材に，デッキ材先端に対して交差対接自在の位置決め部を配置してなることを特徴とする請求項２に記載のデッキ材の幕板固定装置としたものである。
【０００９】
請求項４に記載の発明は，同じく上記に加えて，下位部材に対して幕板を載置した状態で該幕板を上下位部材の上下各固定受部に対してネジ固定し得るようにして幕板の取付設置を可及的容易且つ確実になし得るように，これを，上記下位部材に，その固定受部下端に外側に向けて突出した幕板受座を備えてなることを特徴とする請求項１，２又は３に記載のデッキ材の幕板固定装置としたものである。
【００１０】
請求項５に記載の発明は，上記第３の課題に沿って，幕板の固定をその背面のデッキ材中空部とその下位の上下に複数箇所でなし得るようにするとともにデッキ材先端への固定及び幕板の取付設置を可及的容易且つ確実になし得るようにして上記デッキ材の幕板固定装置として好適なものとするように，これを，中空長尺のデッキ材先端の底板を挟んでその中空部内に挿入する分離構成一方の上位部材とその下方に垂下する分離構成他方の下位部材とを備えてなり，上位部材を，幕板ネジ固定用の固定受部と，該固定受部下方の中空部奥行方向に向けて上向き傾斜したネジ受座と，デッキ材先端に対して交差対接自在の位置決め部とを有し，下位部材を，同じく幕板ネジ固定用の固定受部と，該固定受部背面側に上位部材のネジ受座に合せて傾斜したネジ受部と，上記固定受部下端に外側に向けて突出した幕板受座とを有してなることを特徴とするデッキ材の幕板固定部材としたものである。
【００１１】
請求項６に記載の発明は，上記第４の課題に沿って，上記の幕板固定部材を用いるに際して生じるデッキ材底板所定位置の傾斜方向に向う孔開けを可及的容易且つ確実になし得るものとするように，これを，デッキ材先端の位置決め部と，該位置決め部間に上記上位部材のネジ受座と平行に配置した傾斜突出面部と，上向き傾斜のネジ受座に対応する挿入面部と，該傾斜突出面部と挿入面部に上記ネジ受部と同一線上に位置するように配置したドリル用の透孔とを備えてなることを特徴とする幕板固定部材の底板孔開け用冶具としたものである。
【００１２】
本発明はこれらをそれぞれ発明の要旨として上記課題解決の手段としたものである。
【発明の効果】
【００１３】
本発明は以上のとおりに構成したから，請求項１に記載の発明は，幕板固定部材をデッキ材先端の中空部内に挿入する上位部材とデッキ材先端下方に垂下する下位部材を一体に備えて構成し，該幕板固定部材をそのデッキ材に設置することによってデッキ材中空部とその下位に垂下する固定受部を配置して幕板の固定をその背面のデッキ材中空部とその下位の上下に複数箇所でなし得るようにして，幕板の取付設置を強固且つ安定した状態になし得るようにしたデッキ材の幕板固定装置を提供することができる。
【００１４】
請求項２に記載の発明は，上記上下位一体の幕板固定部材に代えて，デッキ材先端の中空部内に挿入配置する上位部材と，該デッキ材先端の下方に垂下配置する下位部材とによって上下位に分離構成した幕板固定部材を用いて幕板の固定を上下の複数箇所でなし得るものとするとともに該幕板固定部材の分離構成によって生じる下位部材のデッキ材先端に対する固定を，上位部材からデッキ材の底板を介したネジによってデッキ材の底板を挟んで上位部材に下位部材を一体的に支持して，デッキ材先端下面に対接する下位部材を用いながら，裏板を使用したりすることなく下位部材を手持ちした状態で上方の上位部材から底板側へ向けたネジ止めの作業によって該下位部材の固定を可能とし，作業スペースが充分に確保し得ないケースでも可及的容易に下位部材の固定をなし得るものとして，デッキ材への幕板の固定設置を可及的容易且つ確実に作業性よく行なうことができるようにしたデッキ材の幕板固定装置を提供することができる。
【００１５】
請求項３に記載の発明は，上記に加えて，上記分離構成した幕板固定部材を用いたとき，その上位部材が位置決め部を備えることによってデッキ材の中空部の定位置に可及的容易且つ確実に挿入し得るものとすることができる。
【００１６】
請求項４に記載の発明は，同じく上記に加えて，下位部材に対して幕板を載置した状態で該幕板を上下位部材の上下各固定受部に対してネジ固定し得るようにして幕板の取付設置を可及的容易且つ確実になし得るものとすることができる。
【００１７】
請求項５に記載の発明は，幕板の固定をその背面のデッキ材中空部とその下位の上下に複数箇所でなし得るようにするとともにデッキ材先端への固定及び幕板の取付設置を可及的容易且つ確実になし得るようにして上記デッキ材の幕板固定装置に好適に使用できるようにしたデッキ材の幕板固定部材を提供することができる。
【００１８】
請求項６に記載の発明は，上記の幕板固定部材を用いるに際して生じるデッキ材底板所定位置の傾斜方向に向う孔開けを可及的容易且つ確実になし得るようにした幕板固定部材の底板孔開け用冶具を提供することができる。
【発明を実施するための最良の形態】
【００１９】
以下図面の例に従って本発明を更に具体的に説明すれば，Ａはデッキ材１を多数並列配置したデッキ，４はデッキ材１の先端に幕板固定部材２を用いて取付設置した幕板を示す。
【００２０】
幕板固定部材２は，上位部材２ａを中空長尺のデッキ材１先端の中空部１１内に挿入し，下位部材２ｂを該デッキ材１先端の下方に垂下するようにデッキ材１の底板１２を挟んで上下位部材２ａ，２ｂに設置した上下各固定受部２１をデッキ材１先端の中空部１１及びその下位に位置するようにデッキ材１先端に配置した上下位一体又は上下分離構成，本例にあっては分離構成一方の上位部材２ａと分離構成他方の下位部材２ｂとを備えて分離構成したものとしてあり，幕板４は，デッキ材１先端に突き当て配置して外側から上下各固定受部２１にネジ４１を螺入することによって該上下各固定受部２１にネジ４１固定してデッキ材１先端に取付設置したものとしてある。
【００２１】
このとき本例の幕板固定部材２は，デッキ１に並列配置した多数のデッキ材１のうちの数本，例えば２〜３本置きのデッキ材１毎に配置して幕板４をデッキＡのデッキ材１先端交差方向全長に亘るように設置したものとし，また本例のデッキＡは，これを中空部１１を幅方向に複数配列した，例えば２条の中空部を有するデッキ材１を用いてあり，これに応じて上位部材２ａは，これを該デッキ材１の幅方向に２個使用して該２条の各中空部１１のそれぞれに挿入配置する一方，下位部材２ｂは，これをデッキ材１と略等しい幅を有するものを単一に使用してあり，従って本例の幕板固定部材２は，２個の上位部材２ａと単一の下位部材２ｂとの３部材を対として使用して，各上位部材２ａと下位部材２ｂとをそれぞれ上記デッキ材１の底板１２を挟んでネジ１３固定したものとしてある。
【００２２】
本例の幕板固定部材２は，その上位部材２ａと下位部材２ｂとを，それぞれ耐久性ある材料によって一体成形した，例えば押出材製，本例にあってはアルミ押出形材をデッキ材１の中空部１１に挿入可能な幅寸法に切断し，必要に応じて孔開け加工等所定の加工を施したアルミ押出材製のものとしてあり，このとき本例の上位部材２ａは，幕板４ネジ４１固定用の固定受部２１と，該固定受部２１下方に中空部１１奥行方向に向けて上向き傾斜したネジ受座２３を有するとともに本例にあっては更にデッキ材１先端に対して交差対接自在の位置決め部２５を有するものとしてある。
【００２３】
このとき本例の上位部材２ａは，上記固定受部２１を上向き垂直に起立して備えるとともにその該固定受部２１下端から中空部１１下方に向けて傾斜突出してデッキ材１の底板１２に至る底板載置用脚部２２と，該底板載置用脚部２２の傾斜方向中間位置から同じく傾斜突出してデッキ材１の底板１２先端に至る，上記固定受部２１下方にして中空部１１奥行方向に向けて上向き傾斜したネジ受座２３と，該ネジ受座２３の先端の底板載置用脚部２２から下向き垂直に垂下したフィンによる位置決め部２５とを備えて上記一体成形した押出材製のものとしてある。
【００２４】
本例にあって上記底板載置用脚部２２は，例えば固定受部２１と４５度の傾斜角度をなすように傾斜突出し，ネジ受座２３は，例えば底板載置用脚部２２と直角のＴ字状をなして直交するように傾斜突出してあり，これによって該ネジ受座２３は水平の底板１２に中空部奥行方向に４５度の傾斜角度をなすように配置したものとしてあり，また上記ネジ受座２３はその面内の所定位置にネジ透孔２４を，例えば1ヶ所透設するようにその孔開け加工を施したものとしてある。
【００２５】
本例の下位部材２ｂは，上記固定受部２１を下向き垂直に垂下して備えるとともにその上端から背面側，即ちデッキ材１奥行方向に該固定受部２１と直交するようにデッキ材１の底板１２下面に対接する対接部２６と，該対接部２６の先端から上記ネジ受座２３に合せて傾斜したネジ受部２８と，上記固定受部２１下端に外側に向けて突出した幕板受座２９とを有する，例えば断面Ｓ字状をなすものとしてある。
【００２６】
本例にあって上記ネジ受部２８は，例えば上記対接部２６の先端に上記上位部材２ａの底板載置用脚部２２と平行に下向き傾斜した傾斜連結部２７を介してその先端にＵ字状をなすように配置することによって上位部材２ａのネジ受座２３に合せて傾斜方向に開口したネジ螺入溝を有するネジ受溝によるものとしてある。
【００２７】
このように形成した上位部材２ａと下位部材２ｂとを分離構成した幕板固定部材２は，その上位部材２ａを中空長尺のデッキ材１先端の中空部１１内に挿入し，該上位部材２ａのネジ受座２３及び底板１２のネジ透孔１３を介してネジ受座２３からネジ３を下位部材２ｂのネジ受部２８，本例にあってはネジ受溝に螺入することによって，分離構成の上位部材２ａと下位部材２ｂとをデッキ材１先端にその底板１２を挟んで一体化して配置することによって，そのデッキ材１先端への固定設置を行うものとしてある。
【００２８】
即ち上位部材２ａは，その位置決め部２５をデッキ材１底板１２の先端に対接するように中空部１１にその外側から挿入することによって底板載置用脚部２２とネジ受座２３先端とによって，これら底板載置用脚部２２とネジ受座２３が，上位部材２ａにおける底板１２への逆Ｖ字状に対をなすＶ字脚片をなして上位部材２ａを底板１２上に支持し，その固定受部２１がデッキ材１先端と面一に垂直面をなすように配置されるに至る。
【００２９】
下位部材２ｂは，上記固定受部２１の上端をデッキ材１先端に合せるようにその対接部２６をデッキ材１先端下面に対接すれば，該対接部２６と傾斜連結部２７がネジ受部２８を上位部材２ａの上記ネジ透孔２４と直線状に配置されるとともに固定受部２１がデッキ材１先端下位に該先端と面一に垂直面をなすように配置されるに至る。
【００３０】
従って上位部材２ａのネジ受座２３，特にそのネジ透孔２４から底板１２のネジ透孔１３を介するようにネジ３を下位部材２ｂのネジ受部２８，本例にあってはネジ受溝に螺入すれば，上位部材２ａの底板１２への固定とともに下位部材２ｂをその外側から手持ちした状態で底板１２側に引寄せてそのデッキ材１の定位置への固定がなされから，該下位部材２ｂの幕板受座２９に幕板４下端を載置して幕板４をデッキ材１先端に対接するように配置し，上位部材２ａ及び下位部材２ｂの上下の各固定受部２１に対して幕板４側からネジ４１を螺入してその取付設置を行なうようにすればよい。
【００３１】
このときデッキ材１は，例えば高密度ポリエチレン等の硬質樹脂で形成されて底板１２が硬質であることによって，一般に底板１２にはそのネジ透孔１３を予め透設する必要があるところ，該ネジ透孔１３は上位部材２ａのネジ受座２３及び下位部材２ｂのネジ受部２８が傾斜していることによって，現場でネジ透孔１３を工具によって透設形成するのは煩雑であるから，本例にあっては底板孔開け用冶具５を用いてこれを容易になし得るようにしてあり，該冶具５は，デッキ材１先端の位置決め部５１と，該位置決め部５１間に上記上位部材２ａのネジ受座２３と平行に配置した傾斜突出面部５２と，上向き傾斜のネジ受座２３に対応する挿入面部５３と，該傾斜突出面部５２と挿入面部５３に上記ネジ受部２８と同一線上に位置するように配置したドリル用の透孔５４とを備えたものとしてある。
【００３２】
本例の該底板孔開け用冶具５は，上記位置決め部５１を上下に配置してデッキ材１先端上下に対接する上下のフィンによるものとし，上記傾斜突出面部５２をその上方の位置決め部５１下端からデッキ材１の外側に向けて上位部材２ａのネジ受座２３と同一角度をなすように，本例にあってはデッキ材１先端に４５度の角度をなすように傾斜突出し，上記挿入面部５３を該傾斜突出面部５２の上下端からこれと直交するように配置し下端を幾分デッキ材１中空部１１に入れ込むようにして下方の位置決め部５１と連結した平行な傾斜連結部５５を介して該傾斜面部５３と平行四辺形をなすように配置した，例えば同じく押出材製のものとしてあり，このとき傾斜突出面部５２と挿入面部５３には，下位部材２ｂの配置状態でそのネジ受部２８と同一線上に位置して，傾斜突出面部５２において上位部材２ａのネジ透孔２４と同一位置をなすように上記ドリル用の透孔５４を透設したものとしてある。
【００３３】
該底板孔開け冶具５は，デッキ材１の先端にその位置決め部５１を対接し挿入面部５３を中空部１１に挿入するように配置し，傾斜突出面部５２の透孔５４から挿入面部５３の透孔５４に対してドリルを差込んでその回転を行なうことによって，デッキ材１の底板１２には上位部材２ａのネジ受座２３から下位部材のネジ受部２８に向けて所定角度に傾斜したネジ３を貫通する透孔５４を，デッキ材１を並列配置したデッキＡ形成状態においても容易且つ確実に透設することができる。
【００３４】
以上のように構成した幕板固定部材２による幕板４の取付設置は，その取付対象のデッキ材１に対して幕板４の取付設置を強固且つ安定した状態に行なうものとすることができ，デッキ材１先端下面に対接する幕板４固定のための下位部材２ｂを用いながら，その固定を簡易になし得るようにしてデッキ材１への幕板４の固定設置を可及的容易且つ確実に作業性よく行なうことができ，また底板１２への透孔５４の透設，幕板固定部材２の固定設置，幕板４の取付設置等を可及的に簡易な作業で確実に行なって現場作業を容易化することができ，更に幕板固定部材２はデッキ材１に幕板４を固定するについて好適に使用でき，底板孔開け用冶具５も使い勝手のよい好適に使用し得るものとすることができる。
【００３５】
図示した例は以上のとおりとしたが，幕板固定部材を上位部材と下位部材を一体成形したものとし，このとき上記上位部材の位置決め部を介してこれらを一体に連結したものとし，上位部材と下位部材を上記と同様に又は上位部材をデッキ材の底板にネジ固定してその固定設置を行なうようにすること，上位部材に位置決め部を配置するとき，一体成形のもの，分離成形のものを問わず，該位置決め部をデッキ材の上下左右のいずれか又はこのうち適宜の先端に交差対接するようにすること，底板孔開け用冶具の位置決め部も同様に，例えば対向する適宜の先端に交差対接するようにすること，下位部材のネジ受部を上記溝のものに代えてネジ受孔乃至ネジ螺入自在のプレート状のものとすること，デッキ材に，例えば３条の中空部を備えるとき，その全部の中空部，中央の中空部又は左右の中空部に対して１乃至３の上位部材を配置して単一の下位部材を配置する如くにデッキの形態に合せて幕板固定部材を一体成形又は分離構成すること等を含めて，本発明の実施に当って，デッキ，デッキ材，幕板固定部材，その上位部材，下位部材，固定受部，ネジ受座，ネジ受部，位置決め部，幕板受座，底板孔開け用冶具，その位置決め部，傾斜面部，挿入面部等の各具体的形状，構造，材質，これらの関係，これらに対する付加等は，上記発明の要旨に反しない限り様々な形態のものとすることができる。
【図面の簡単な説明】
【００３６】
【図１】デッキ及びそのデッキ材と幕板固定部材の関係を示す斜視図である。
【図２】デッキ材と幕板固定部材の関係を示す正面図である。
【図３】デッキ材への幕板取付設置状態を示す縦断面図である。
【図４】上位部材の正面図である。
【図５】上位部材の側面図である。
【図６】下位部材の正面図である。
【図７】下位部材の側面図である。
【図８】底板孔開け用冶具とデッキ材の関係を示す縦断面図である。
【図９】底板孔開け用冶具の正面図である。
【符号の説明】
【００３７】
Ａ  デッキ
１  デッキ材
１１  中空部
１２  底板
１３  ネジ透孔
２  幕板固定部材
２ａ  上位部材
２ｂ  下位部材
２１  固定受部
２３  ネジ受座
２４  ネジ透孔
２５  位置決め部
２８  ネジ受部
２９  幕板受座
３  ネジ
４  幕板
４１  ネジ
５  底板孔開け用冶具
５１  位置決め部
５２  傾斜突出面部
５３  挿入面部